(57)【要約】【課題】無線の指向性や映像の解像度を動的に調整する通信装置を、無線の伝送状態がより良好となる設置位置へユーザが設置することを可能とする。【解決手段】ネットワークシステム１００において、通信装置１又は通信装置２の設置位置の調整を開始する操作指示をリモートコントローラ４から受け付けた場合に、通信装置１又は通信装置２の少なくとも一方は、無線の指向方向を予め設定された方向に固定し、通信装置１は、無線の伝送状態の通知を開始する。【選択図】図１
2011130369.tif 000002
【特許請求の範囲】
【請求項１】
映像を含むデータを他の通信装置へ無線通信により伝送するとともに、当該他の通信装置との間の無線通信の伝送状態が良好となる方向へ指向方向を調整する無線通信手段と、
ユーザからの操作指示を受け付ける受付手段と、
を備え、
前記無線通信手段は、自装置又は前記他の通信装置の設置位置の調整を開始する操作指示を受け付けた場合に、前記指向方向を予め設定された方向に固定することを特徴とする通信装置。
【請求項２】
前記伝送状態の悪化に応じて前記映像の解像度を低減させるように前記他の通信装置への伝送を制御する制御手段を更に備え、
前記制御手段は、自装置又は前記他の通信装置の設置位置の調整を開始する操作指示を受け付けた場合に、前記解像度を予め設定された解像度に固定することを特徴とする請求項１に記載の通信装置。
【請求項３】
他の通信装置から無線通信により伝送される、映像を含むデータを受信するとともに、当該他の通信装置との間の無線通信の伝送状態が良好となる方向へ指向方向を調整する無線通信手段と、
ユーザからの操作指示を受け付ける受付手段と、
前記伝送状態をユーザに通知する通知手段と、
を備え、
自装置又は前記他の通信装置の設置位置の調整を開始する操作指示を受け付けた場合に、前記無線通信手段は前記指向方向を予め設定された方向に固定し、前記通知手段は前記通知を開始することを特徴とする通信装置。
【請求項４】
前記通知手段は、前記伝送状態に対応した音声通知を行うことを特徴とする請求項３に記載の通信装置。
【請求項５】
前記無線通信手段は、伝送時の利得が最大となる方向へ前記指向方向を固定することを特徴とする請求項１〜４のいずれか一項に記載の通信装置。
【請求項６】
前記無線通信手段は、自装置又は前記他の通信装置の設置位置の調整を開始する操作指示にともなって、角度を示す操作指示を受け付けた場合に、当該受け付けた角度に前記指向方向を固定することを特徴とする請求項１〜４のいずれか一項に記載の通信装置。
【請求項７】
前記無線通信手段は、前記他の通信装置との間の無線通信を、ＷｉｒｅｌｅｓｓＨＤ規格に従って行うことを特徴とする請求項１〜６のいずれか一項に記載の通信装置。
【請求項８】
映像を含むデータを第２の通信装置へ無線通信により伝送するとともに、当該第２の通信装置との間の無線通信の伝送状態が良好となる方向へ指向方向を調整する送信手段を備える第１の通信装置と、
前記第１の通信装置から無線通信により伝送される、映像を含むデータを受信するとともに、当該第１の通信装置との間の無線通信の伝送状態が良好となる方向へ指向方向を調整する受信手段、前記伝送状態をユーザに通知する通知手段を備える前記第２の通信装置と、
ユーザからの操作指示を受け付ける受付手段と、
を有するシステムの制御方法であって、
前記第１の通信装置又は前記第２の通信装置の設置位置の調整を開始する操作指示を前記受付手段が受け付けた場合に、
前記第１の通信装置又は前記第２の通信装置の少なくとも一方の、前記指向方向を予め設定された方向に固定するステップと、
前記通知手段が前記通知を開始するステップと、
を含むことを特徴とする制御方法。
【発明の詳細な説明】
【技術分野】
【０００１】
本発明は、通信装置及び制御方法に関する。
【背景技術】
【０００２】
従来、ＷｉｒｅｌｅｓｓＨＤなどの無線通信規格でデータの送受信を行う通信装置では、送受信を行う通信装置の間に障害物などが現れた場合でも安定した無線通信を行うことができるようにするため、フェーズドアレイアンテナ技術を利用して無線の指向性を動的に調整している。このように、無線の指向性を動的に調整する従来技術としては、特許文献１が知られている。また、ＷｉｒｅｌｅｓｓＨＤでは、無線の伝送状態が悪化して映像を最高画質で伝送できなくなった場合に、映像の表示が乱れることを防止するため、映像の解像度を落として伝送レートを下げることがある。
【先行技術文献】
【特許文献】
【０００３】
【特許文献１】特開２００５−２１７９４８号公報
【発明の概要】
【発明が解決しようとする課題】
【０００４】
このように、無線の指向性を動的に調整したり、映像の解像度を落としたりすることで、伝送された映像の表示が乱れることのないように通信装置を設置する範囲が広範になることから、ユーザは通信装置の設置位置に注意する必要がなくなった。
【０００５】
しかしながら、映像の表示が乱れることがなくなることから、無線の伝送状態がより良好となる設置位置を、ユーザが知ることはできなかった。例えば、通信装置の設置位置によっては、映像が乱れることはないが、解像度が落とされた映像が通信装置に接続するシンク機器に表示され続ける場合がある。このような場合、映像の画質にこだわるユーザなどにおいては、無線の伝送状態がより良好となる設置位置を知りたいという要望がある。
【０００６】
本発明は、上記に鑑みてなされたものであって、無線の指向性や映像の解像度を動的に調整する通信装置を、無線の伝送状態がより良好となる設置位置へユーザが設置することを可能とする技術を提供することを目的とする。
【課題を解決するための手段】
【０００７】
上述した課題を解決し、目的を達成するために、本発明の通信装置は、映像を含むデータを他の通信装置へ無線通信により伝送するとともに、当該他の通信装置との間の無線通信の伝送状態が良好となる方向へ指向方向を調整する無線通信手段と、ユーザからの操作指示を受け付ける受付手段と、を備え、前記無線通信手段は、自装置又は前記他の通信装置の設置位置の調整を開始する操作指示を受け付けた場合に、前記指向方向を予め設定された方向に固定することを特徴とする。
【０００８】
また、本発明の通信装置は、他の通信装置から無線通信により伝送される、映像を含むデータを受信するとともに、当該他の通信装置との間の無線通信の伝送状態が良好となる方向へ指向方向を調整する無線通信手段と、ユーザからの操作指示を受け付ける受付手段と、前記伝送状態をユーザに通知する通知手段と、を備え、自装置又は前記他の通信装置の設置位置の調整を開始する操作指示を受け付けた場合に、前記無線通信手段は前記指向方向を予め設定された方向に固定し、前記通知手段は前記通知を開始することを特徴とする。
【０００９】
また、本発明は、映像を含むデータを第２の通信装置へ無線通信により伝送するとともに、当該第２の通信装置との間の無線通信の伝送状態が良好となる方向へ指向方向を調整する送信手段を備える第１の通信装置と、前記第１の通信装置から無線通信により伝送される、映像を含むデータを受信するとともに、当該第１の通信装置との間の無線通信の伝送状態が良好となる方向へ指向方向を調整する受信手段、前記伝送状態をユーザに通知する通知手段を備える前記第２の通信装置と、ユーザからの操作指示を受け付ける受付手段と、を有するシステムの制御方法であって、前記第１の通信装置又は前記第２の通信装置の設置位置の調整を開始する操作指示を前記受付手段が受け付けた場合に、前記第１の通信装置又は前記第２の通信装置の少なくとも一方の、前記指向方向を予め設定された方向に固定するステップと、前記通知手段が前記通知を開始するステップと、を含むことを特徴とする。
【発明の効果】
【００１０】
本発明によれば、無線の指向性や映像の解像度を動的に調整する通信装置を、無線の伝送状態がより良好となる設置位置へユーザが設置することを可能とする、という効果を奏する。
【図面の簡単な説明】
【００１１】
【図１】図１は、ネットワークシステムのシステム構成の一例を示す図である。
【図２】図２は、論理アドレスの割り当てを例示する図である。
【図３】図３は、本実施形態にかかる通信装置の内部構成の一例を示すブロック図である。
【図４】図４は、リモートコントローラの操作ボタンの配置例を示す図である。
【図５】図５は、テレビの表示画面の一例を示す図である。
【図６】図６は、本実施形態にかかる通信装置の設置位置調整の一例を示す図である。
【図７】図７は、本実施形態にかかる通信装置の設置位置調整の一例を示す図である。
【図８】図８は、本実施形態にかかる通信装置の設置位置調整の一例を示す図である。
【図９】図９は、本実施形態にかかる通信装置の設置位置調整の一例を示す図である。
【図１０】図１０は、ネットワークシステムの動作の一例を示すシーケンス図である。
【図１１】図１１は、本実施形態にかかる通信装置を操作した際の処理の一例を示すシーケンス図である。
【図１２】図１２は、本実施形態にかかる通信装置を操作した際の処理の一例を示すシーケンス図である。
【図１３】図１３は、リモートコントローラによる通信装置の操作内容を例示する図である。
【発明を実施するための形態】
【００１２】
以下に添付図面を参照して、この発明にかかる通信装置及び制御方法の最良な実施の形態を詳細に説明する。
【００１３】
図１は、ネットワークシステム１００のシステム構成の一例を示す図である。図１に示すように、ネットワークシステム１００は、通信装置１、２、テレビ３、リモートコントローラ４、ビデオプレーヤ５を備える構成である。
【００１４】
通信装置１、２は、ＷｉｒｅｌｅｓｓＨＤ無線伝送Ａ１によりＷｉｒｅｌｅｓｓＨＤ無線信号を互いに送受信する。通信装置１はＨＤＭＩ接続ケーブルＣ１によりテレビ３に接続されており、通信装置２はＨＤＭＩ接続ケーブルＣ２によりビデオプレーヤ５に接続されている。例えば、通信装置１は、通信装置２から送信されたＷｉｒｅｌｅｓｓＨＤ無線信号を受信し、ＨＤＭＩ映像信号やＣＥＣ信号等に変換してテレビ３などのシンク機器に送信する。また、通信装置１は、リモートコントローラ４からのリモート制御信号Ａ２に応じてテレビ３から通知されたＣＥＣ信号を受信し、ＷｉｒｅｌｅｓｓＨＤ無線信号に変換して通信装置２へ送信する。通信装置２は、テレビ３などのソース機器からＨＤＭＩ映像信号やＣＥＣ信号を受信し、ＷｉｒｅｌｅｓｓＨＤ無線信号に変換して通信装置１へ送信する。また、通信装置２は、通信装置１から送信されたＷｉｒｅｌｅｓｓＨＤ無線信号を受信してＣＥＣ信号等に変換し、ビデオプレーヤ５などのソース機器に送信する。
【００１５】
テレビ３は、テレビ放送又は外部機器などから受信した映像や音声情報を表示・再生する。例えば、テレビ３は、ビデオプレーヤ５から出力されて通信装置１、２を介して伝送される映像や音声情報を表示・再生する。
【００１６】
リモートコントローラ４は、ユーザの操作を受け付けて、テレビ３及びテレビ３に接続された通信装置１、２、ビデオプレーヤ５を操作するためのリモート制御信号Ａ２を送信する。リモートコントローラ４は、操作ボタンなどを備えており（詳細は後述する）、ユーザが操作ボタンを押下した場合に、その押下したボタンに対応したリモート制御信号Ａ２をテレビ３へ送信する。リモートコントローラ４からテレビ３へのリモート制御信号Ａ２の送信は、無線通信や赤外線通信などであってよい。送信されたリモート制御信号Ａ２が、テレビ３以外の外部機器を制御するためのものの場合は、テレビ３はリモート制御信号Ａ２に対応するＣＥＣ信号を外部機器宛に送信する。
【００１７】
ビデオプレーヤ５は、磁気テープ、ＤＶＤディスク、ＨＤＤ（Hard Disk Drive）などの大容量記憶媒体に記憶されたビデオコンテンツ（映像や音声情報）を読み出してテレビ３などの外部機器へ出力する再生用の機器である。例えば、ビデオプレーヤ５は、ＨＤＭＩ接続ケーブルＣ２等で接続されたテレビ３等のシンク機器に、ＤＶＤディスク等に記憶済みの映像や音声信号を出力することができる。
【００１８】
上述したように、通信装置１と通信装置２とは、ＨＤＭＩ規格におけるＣＥＣ信号をＷｉｒｅｌｅｓｓＨＤ無線伝送Ａ１によって送受信している。このため、通信装置１、２とＨＤＭＩ接続ケーブルＣ１、Ｃ２を介して接続するテレビ３とビデオプレーヤ５とは、ＨＤＭＩ接続ケーブルで直接接続した場合と同様に、リモートコントローラ４を利用することによって、ビデオプレーヤ５からの映像をテレビ３に表示させるなどの操作を実現することができる。
【００１９】
また、ネットワークシステム１００では、ＨＤＭＩ  ＣＥＣ信号の送受信によって通信装置１、２、テレビ３、ビデオプレーヤ５の各機器がアドレス解決処理を実行することで、各機器に論理アドレスが割り当てられる。本実施形態では、アドレス解決処理を実行した結果、通信装置１に論理アドレス：３、通信装置２に論理アドレス：６、テレビ３に論理アドレス：０、ビデオプレーヤ５に論理アドレス：４が割り当てられるものとする。
【００２０】
図２は、論理アドレスの割り当てを例示する図であり、より具体的にはＨＤＭＩ  ＣＥＣ規格の論理アドレスと、それに対応する機器との関係を示す図である。図２に示すように、論理アドレス：０は、テレビ（ＴＶ）等のシンク機器に割り当てられる。論理アドレス：１／２／９の３つの論理アドレスは、ビデオレコーダ等の記録機能と再生機能を備えるソース機器（例えばレコーディングデバイス）に割り当てられる。論理アドレス：３／６／７／１０の４つの論理アドレスは、テレビチューナ等のソース機器に割り当てられる。論理アドレス：４／８／１１の３つの論理アドレスは、ビデオプレーヤ等の再生機能を備えるソース機器（例えばプレーバックデバイス）に割り当てられる。論理アドレス：５は、オーディオアンプ等の機器（例えばオーディオシステム）に割り当てられる。論理アドレス：１２／１３の２つの論理アドレスは、予め予約された使用できないアドレスである。論理アドレス：１４は、テレビ等のシンク機器が２台存在する場合に、２台目のシンク機器に割り当てられる。論理アドレス：１５は、ソース機器に論理アドレスが割り当てられる前や、ソース機器に割り当てられる論理アドレスが無くなった時のアドレスである。
【００２１】
なお、ＨＤＭＩ  ＣＥＣ規格上、ＣＥＣメッセージを個別の機器に送信する場合、ＣＥＣメッセージの宛先フィールドには、個別の機器に割り当てられた論理アドレスがセットされる。しかしながら、ＣＥＣメッセージを全機器にブロードキャストする場合は、ＣＥＣメッセージの宛先フィールドには、ブロードキャストを示す目的で、論理アドレス：１５がセットされる。
【００２２】
本実施形態では、通信装置１、２に割り当てる論理アドレスとして、論理アドレス３／６／７／１０の中から未使用のものを利用することとしている。具体的には、図１に示すネットワークシステム１００においては、テレビチューナに相当するソース機器が存在しないので、通信装置１に論理アドレス：３、通信装置２に論理アドレス：６が割り当てられるものとする。
【００２３】
図３は、本実施形態にかかる通信装置１、２の内部構成の一例を示すブロック図である。図３に示すように、通信装置１、２は、ＣＰＵ３０１、プログラムメモリ３０２、ＲＡＭ３０３、不揮発性メモリ３０４、内部バス３０５、アンテナ部３０６、ＷｉｒｅｌｅｓｓＨＤ制御部３０７、ＨＤＭＩ制御部３０８、ＨＤＭＩポート３０９、スピーカ部３１０を備える。
【００２４】
ＣＰＵ３０１（Central Processing Unit）は、通信装置の動作を中央制御する。具体的には、ＣＰＵ３０１は、プログラムメモリ３０２から読み出したプログラムに従って内部バス３０５上の各部に制御信号を出力することで、各部を制御する。プログラムメモリ３０２は、プログラムを記憶するＲＯＭ（Read Only Memory）などである。
【００２５】
ＲＡＭ３０３（Random Access Memory）は、揮発性のメモリである。ＲＡＭ３０３は、ＣＰＵ３０１がプログラムを実行する際の作業領域として使用される。不揮発性メモリ３０４は、ＥＥＰＲＯＭ（Electrically Erasable and Programmable ROM）、Ｆｌａｓｈメモリなどであってよい。不揮発性メモリ３０４は、通信装置に関する設定データ等を記憶する。内部バス３０５は、接続するＣＰＵ３０１と各部との間で、各種信号の送受信や、データ又はプログラムなどの読み書きを行うためのデータバスである。
【００２６】
アンテナ部３０６は、ＷｉｒｅｌｅｓｓＨＤ制御部３０７の制御の下、ＷｉｒｅｌｅｓｓＨＤの無線信号を送受信する。ＷｉｒｅｌｅｓｓＨＤの無線信号の伝送は、アンテナ部３０６により６０ＧＨｚ帯のミリ波で行われるため、直進性が強い。アンテナ部３０６は、複数のアンテナ素子（特に図示しない）を備えており、その複数のアンテナ素子からそれぞれ放射される電波の位相をＷｉｒｅｌｅｓｓＨＤ制御部３０７により制御する、フェーズドアレーアンテナ技術を利用することで、無線の指向性（指向方向）を調整している。
【００２７】
ＷｉｒｅｌｅｓｓＨＤ制御部３０７は、ＨＤＭＩ制御部３０８から入力した映像データ（ＨＤＭＩ映像信号）や制御信号（ＣＥＣ信号）等を、ＷｉｒｅｌｅｓｓＨＤの無線信号に変換してアンテナ部３０６に出力する。また、ＷｉｒｅｌｅｓｓＨＤ制御部３０７は、アンテナ部３０６から入力したＷｉｒｅｌｅｓｓＨＤの無線信号、すなわちアンテナ部３０６が受信したＷｉｒｅｌｅｓｓＨＤの無線信号を、映像データや制御信号等に変換してＨＤＭＩ制御部３０８に出力する。
【００２８】
また、ＷｉｒｅｌｅｓｓＨＤ制御部３０７は、リモートコントローラ４などによるユーザからの操作指示（詳細は後述する）や、アンテナ部３０６の無線の伝送状態に応じて、アンテナ部３０６の指向性制御を行う。例えば、ＷｉｒｅｌｅｓｓＨＤ制御部３０７は、アンテナ部３０６で送受信されるＷｉｒｅｌｅｓｓＨＤの無線信号の伝送状態をチェックし、その伝送状態が悪くなった場合には伝送状態が良好となるように、アンテナ部３０６の指向性を調整する。より具体的には、ＷｉｒｅｌｅｓｓＨＤ制御部３０７は、アンテナ部３０６の伝送状態として受信時における利得やエラー率、送信時におけるエラー率などを検知し、その値が予め設定された所定の閾値を超えるか否か（利得の場合は閾値以下、エラー率の場合は閾値以上）を判定することで、伝送状態の悪化を検知する。そして、伝送状態の悪化を検知した場合は、アンテナ部３０６の指向方向を順次変化させることで、利得が最大、又はエラー率が最小となる、伝送状態が良好の指向方向を探索し、その探索結果に応じた指向方向への調整を行う。
【００２９】
したがって、通信装置１と通信装置２との間に人などの障害物が現れて、その間の無線の伝送状態が悪くなる場合であっても、伝送状態が良好となる指向方向の探索が行われて、指向方向が調整されることから、通信装置１と通信装置２とは、直進性の強いＷｉｒｅｌｅｓｓＨＤの無線信号の伝送を安定して継続することが可能となる。
【００３０】
なお、ＷｉｒｅｌｅｓｓＨＤ制御部３０７は、アンテナ部３０６の指向性制御を行った後の伝送状態が所定の状態まで回復せず、悪化した場合（利得やエラー率が予め設定された閾値を超えない場合）は、ＨＤＭＩ制御部３０８から入力した映像データをＷｉｒｅｌｅｓｓＨＤの無線信号に変換してアンテナ部３０６へ出力する際のレート、すなわちアンテナ部３０６から伝送する映像データの解像度を落として（低減させて）、伝送レートを低減させる。
【００３１】
ＨＤＭＩ制御部３０８は、ＨＤＭＩポート３０９から入力した映像データや制御信号等を、ＷｉｒｅｌｅｓｓＨＤ制御部３０７に出力する。また、ＨＤＭＩ制御部３０８は、ＷｉｒｅｌｅｓｓＨＤ制御部３０７から入力した映像データや制御信号等を、ＨＤＭＩポート３０９に出力する。ＨＤＭＩポート３０９は、ＨＤＭＩ接続ケーブルＣ１、Ｃ２等を接続し、ＨＤＭＩデータを送受信するためのインターフェースである。
【００３２】
スピーカ部３１０は、内部バス３０５を介した制御信号に応じて、電子音等の音声出力を行う。具体的には、ＣＰＵ３０１がプログラムに従ってスピーカ部３１０に制御信号を出力することで、スピーカ部３１０の音声出力を制御する。例えば、ユーザが特定の操作を行った場合には、アンテナ部３０６の無線の伝送状態（受信時における利得やエラー率、送信時におけるエラー率）に応じて、スピーカ部３１０から出力する電子音の音量を制御する。具体的には、エラー率が最低レベルの時（伝送状態が最良の時）を無音とし、エラー率が高くなる（伝送状態が悪くなる）につれて、徐々に音量を上げるものとする。
【００３３】
次に、ネットワークシステム１００においてユーザが操作指示を行うためのリモートコントローラ４について説明する。図４は、リモートコントローラ４の操作ボタンの配置例を示す図である。
【００３４】
図４に示すように、リモートコントローラ４には、テレビ３及びテレビ３と接続する各機器を操作するための各種ボタンが配置されている。数字ボタン４１０は、チャンネルの番号を入力したり、操作入力を行う機器を切り換える入力切換操作の時の接続機器の番号を選択したりする際の、数字入力をユーザが行うボタンである。
【００３５】
チャンネルアップボタン４１３とチャンネルダウンボタン４１４とは、チャンネルを昇順又は降順に変更するための操作をユーザが行うボタンである。音量アップボタン４１５と音量ダウンボタン４１６とは、音声出力のボリュームを増減するための操作をユーザが行うボタンである。
【００３６】
メニューボタン４１７は、テレビ３の設定操作等のメニューを表示させて、その設定操作を開始する際に、ユーザが操作するボタンである。戻るボタン４１８は、設定操作等を終了させる際に、ユーザが操作するボタンである。
【００３７】
電源ボタン４１９は、テレビ３の電源のオン／オフをユーザが操作するボタンである。入力切換ボタン４２０は、入力切換操作を開始する際に、ユーザが操作するボタンである。本実施形態では、テレビ３に接続された機器であって、操作入力を行う操作対象の機器を、通信装置１、２やビデオプレーヤ５に切り換える時にも使用する。
【００３８】
上ボタン４２１、下ボタン４２２、左ボタン４２３、右ボタン４２４は、設定操作中のメニュー表示や、カーソルの位置を変更するための操作をユーザが行うボタンである。ＯＫボタン４２５は、選択内容や変更内容を決定する際に、ユーザが操作するボタンである。
【００３９】
色ボタン４２６（図示例では「青」、「赤」、「緑」、「黄色」）は、テレビ３のデジタルテレビ放送に関係する操作などを行う際に、ユーザが使用するボタンである。ソース機器操作ボタン４３０は、テレビ３に接続されたソース機器が記憶するコンテンツに関係する操作（例えば再生）などを行う際に、ユーザが使用するボタンである。図示例では、「再生」、「停止」、「早戻し」、「早送り」などがある。
【００４０】
ユーザは、上述したリモートコントローラ４の各種ボタンを操作することで、テレビ３及びテレビ３と接続する各機器を操作することができる。本実施形態では、通信装置１、２の操作にもリモートコントローラ４を利用する。
【００４１】
図５は、テレビ３の表示画面Ｇ１の一例を示す図であり、具体的には、リモートコントローラ４で入力切換操作を行った際の表示画面Ｇ１を示す図である。ユーザがリモートコントローラ４の入力切換ボタン４２０を操作した時に、テレビ３は、接続機器の中から操作対象の機器を選択するための入力切換モードに入り、表示画面Ｇ１を表示する。
【００４２】
図５に示すように、表示画面Ｇ１には、テレビ３にＨＤＭＩ経由で接続する接続機器５０１、５０２、５０３の一覧が表示される。接続機器５０１は名称が「ＷｉＨＤ−ＲＸ」の機器であり、接続機器５０２は名称が「ＷｉＨＤ−ＴＸ」の機器であり、接続機器５０３は名称が「Ｐｌａｙｅｒ」の機器である。接続機器５０１、５０２、５０３における名称などのデータは、アドレス解決処理の際にテレビ３に通知される。
【００４３】
入力切換モードでは、表示画面Ｇ１に表示された接続機器５０１、５０２、５０３の一覧の中から、リモートコントローラ４のボタン操作に応じた機器へ操作対象の機器が切り換えられる。例えば、入力切換モード時に数字ボタン４１０の「１」が押された場合は、テレビ３はリモートコントローラ４による操作対象の機器を通信装置１に切り換える。また、数字ボタン４１０の「２」が押された場合は、テレビ３はリモートコントローラ４による操作対象の機器を通信装置２に切り換える。また、数字ボタン４１０の「３」が押された場合は、テレビ３はリモートコントローラ４による操作対象の機器をビデオプレーヤ５に切り換える。
【００４４】
次に、通信装置１、２の設置位置の調整について詳細に説明する。図６は、通信装置１、２の設置位置調整の一例を示す図である。より具体的には、通信装置１、２のアンテナ部３０６が正面に向かい合うように設置する場合の調整方法を示す図である。アンテナ部３０６において、無線の伝送時の利得が最大となる指向方向は、正面方向である。すなわち、通信装置１、２のアンテナ部３０６が正面に向かい合うように設置することで、通信装置１、２の間の無線の伝送状態を最良とすることができる。
【００４５】
図６に示すように、通信装置１、２の設置位置を調整する場合は、先ず、ユーザがリモートコントローラ４を操作することで通信装置１へ操作入力を行い、通信装置１が受信する無線の指向方向Ｄ１を正面に固定する設定を行う。また、通信装置１の電子音の出力設定を、無線の受信状態に応じた電子音を出力するように設定する。
【００４６】
また、通信装置２へ操作入力を行い、通信装置２が送信する無線の指向方向Ｄ２を正面に固定し、通信装置２が送信する映像の解像度を固定する設定を行う。なお、解像度は、伝送状態の悪化に応じた映像の乱れ具合を視認するため、ＷｉｒｅｌｅｓｓＨＤ制御部３０７が解像度を落とす前の、最大値に固定されることが好ましい。
【００４７】
次に、ユーザがリモートコントローラ４を操作することでビデオプレーヤ５へ操作入力を行い、ビデオプレーヤ５が記憶する映像コンテンツをテレビ３で再生させる。
【００４８】
このため、通信装置１と通信装置２とにおいては、アンテナ部３０６の伝送状態に応じた指向性制御や、映像データの解像度を落とすなどのＷｉｒｅｌｅｓｓＨＤ制御部３０７の自動制御が行われなくなる。
【００４９】
したがって、テレビ３に表示されるビデオプレーヤ５からの映像は、通信装置１と通信装置２との設置位置が正面に向かい合う状態に近づくにつれて、より良好なものとなる。また、正面に向かい合う状態から離れるにつれて、より乱れた映像となる。また、通信装置１が出力する電子音は、通信装置１と通信装置２との設置位置が、正面に向かい合う状態に近づくにつれてより小音量になり、正面に向かい合う状態から離れるにつれてより大音量になる。
【００５０】
ユーザは、テレビ３に表示されるビデオプレーヤ５からの映像の乱れ具合や、通信装置１からの電子音を確認しながら設置位置を調整することで、通信装置１と通信装置２とが正面に向かい合うようにすることができる。
【００５１】
設置位置の調整が終了した後は、ユーザがリモートコントローラ４を操作することで、通信装置１、２の設定を設置位置を調整する前の状態に戻す。
【００５２】
具体的には、無線の伝送状態に応じた指向性制御など、通信装置１のＷｉｒｅｌｅｓｓＨＤ制御部３０７における自動制御を行うように通常に戻す設定を行う。また、通信装置１の電子音の出力設定を、無線の受信状態に応じた電子音を出力しない設定にする。また、無線の伝送状態に応じた指向性制御や、映像データの解像度を落とすなど、通信装置２のＷｉｒｅｌｅｓｓＨＤ制御部３０７における自動制御を行うように通常に戻す設定を行う。
【００５３】
図７は、通信装置１、２の設置位置調整の一例を示す図である。より具体的には、設置位置が固定された通信装置１に対して無線の伝送状態が良くなるように、通信装置２の設置位置を調整する調整方法を示す図である。
【００５４】
図７に示すように、通信装置２の設置位置を調整する場合は、先ず、ユーザがリモートコントローラ４を操作することで通信装置１へ操作入力を行い、通信装置１の電子音の出力設定を、無線の受信状態に応じた電子音を出力するように設定する。
【００５５】
また、通信装置２へ操作入力を行い、通信装置２が送信する無線の指向方向Ｄ２を正面に固定し、通信装置２が送信する映像の解像度を固定する設定を行う。
【００５６】
次に、ユーザがリモートコントローラ４を操作することでビデオプレーヤ５へ操作入力を行い、ビデオプレーヤ５が記憶する映像コンテンツをテレビ３で再生させる。
【００５７】
このため、通信装置２においては、アンテナ部３０６の伝送状態に応じた指向性制御や、映像データの解像度を落とすなどのＷｉｒｅｌｅｓｓＨＤ制御部３０７の自動制御が行われなくなる。
【００５８】
したがって、テレビ３に表示されるビデオプレーヤ５からの映像は、通信装置１が通信装置２からの無線を受信し易い位置に、通信装置２の位置が近づくにつれて、より良好なものとなる。また、通信装置１が通信装置２からの無線を受信し易い位置から通信装置２の位置が離れるにつれて、より乱れた映像となる。また、通信装置１が出力する電子音は、通信装置２の位置が、通信装置１が通信装置２からの無線を受信し易い位置に近づくにつれてより小音量になり、離れるにつれてより大音量になる。
【００５９】
ユーザは、テレビ３に表示されるビデオプレーヤ５からの映像の乱れ具合や、通信装置１からの電子音を確認しながら通信装置２の設置位置を調整することで、通信装置１に対する無線の伝送状態が良好となる位置に通信装置２を設置することができる。
【００６０】
設置位置の調整が終了した後は、ユーザがリモートコントローラ４を操作することで、通信装置１、２の設定を設置位置を調整する前の状態に戻す。
【００６１】
具体的には、通信装置１の電子音の出力設定を、無線の受信状態に応じた電子音を出力しない設定にする。また、無線の伝送状態に応じた指向性制御や、映像データの解像度を落とすなど、通信装置２のＷｉｒｅｌｅｓｓＨＤ制御部３０７における自動制御を行うように通常に戻す設定を行う。
【００６２】
図８は、通信装置１、２の設置位置調整の一例を示す図である。より具体的には、設置位置が固定された通信装置２に対して無線の伝送状態が良くなるように、通信装置１の設置位置を調整する調整方法を示す図である。
【００６３】
図８に示すように、通信装置１の設置位置を調整する場合は、先ず、ユーザがリモートコントローラ４を操作することで通信装置１へ操作入力を行い、通信装置１が受信する無線の指向方向Ｄ１を正面に固定する設定を行う。また、通信装置１の電子音の出力設定を、無線の受信状態に応じた電子音を出力するように設定する。
【００６４】
また、通信装置２へ操作入力を行い、通信装置２が送信する映像の解像度を固定する設定を行う。
【００６５】
次に、ユーザがリモートコントローラ４を操作することでビデオプレーヤ５へ操作入力を行い、ビデオプレーヤ５が記憶する映像コンテンツをテレビ３で再生させる。
【００６６】
このため、通信装置１においては、アンテナ部３０６の伝送状態に応じた指向性制御などのＷｉｒｅｌｅｓｓＨＤ制御部３０７の自動制御が行われなくなる。
【００６７】
したがって、テレビ３に表示されるビデオプレーヤ５からの映像は、通信装置１が通信装置２からの無線を受信し易い位置に、通信装置１の位置が近づくにつれて、より良好なものとなる。また、通信装置１が通信装置２からの無線を受信し易い位置から通信装置１の位置が離れるにつれて、より乱れた映像となる。また、通信装置１が出力する電子音は、通信装置１の位置が、通信装置１が通信装置２からの無線を受信し易い位置に近づくにつれてより小音量になり、離れるにつれてより大音量になる。
【００６８】
ユーザは、テレビ３に表示されるビデオプレーヤ５からの映像の乱れ具合や、通信装置１からの電子音を確認しながら通信装置１の設置位置を調整することで、通信装置２からの無線の伝送状態が良好となる位置に通信装置１を設置することができる。
【００６９】
設置位置の調整が終了した後は、ユーザがリモートコントローラ４を操作することで、通信装置１、２の設定を設置位置を調整する前の状態に戻す。
【００７０】
具体的には、無線の伝送状態に応じた指向性制御など、通信装置１のＷｉｒｅｌｅｓｓＨＤ制御部３０７における自動制御を行うように通常に戻す設定を行う。また、通信装置１の電子音の出力設定を、無線の受信状態に応じた電子音を出力しない設定にする。また、映像データの解像度を落とすなど、通信装置２のＷｉｒｅｌｅｓｓＨＤ制御部３０７における自動制御を行うように通常に戻す設定を行う。
【００７１】
図９は、通信装置１、２の設置位置調整の一例を示す図である。より具体的には、通信装置１と通信装置２との間における無線の伝送を、反射板Ｒ１を介して行う場合の、反射板Ｒ１の設置位置を調整する調整方法を示す図である。なお、反射板Ｒ１の設置位置を調整する場合、通信装置１、２の設置位置は固定されているものとする。
【００７２】
反射板Ｒ１は、無線を反射しやすい素材と形状で構成された板上の物などであってよい。無線を効率よく反射するためには、反射板Ｒ１の表面の素材は金属であり、その表面の形状は滑らかな面であり、その面のサイズは無線の波長よりも十分に大きいものが好適である。
【００７３】
図９に示すように、反射板Ｒ１の設置位置を調整する場合は、先ず、ユーザがリモートコントローラ４を操作することで通信装置１へ操作入力を行い、通信装置１の電子音の出力設定を、無線の受信状態に応じた電子音を出力するように設定する。
【００７４】
また、通信装置２へ操作入力を行い、通信装置２が送信する無線の指向方向Ｄ２を、反射板Ｒ１を設置したい方向（例えば、上方向の３０度、右方向に３０度）に固定し、通信装置２が送信する映像の解像度を固定する設定を行う。
【００７５】
次に、ユーザがリモートコントローラ４を操作することでビデオプレーヤ５へ操作入力を行い、ビデオプレーヤ５が記憶する映像コンテンツをテレビ３で再生させる。
【００７６】
このため、通信装置２においては、アンテナ部３０６の伝送状態に応じた指向性制御や、映像データの解像度を落とすなどのＷｉｒｅｌｅｓｓＨＤ制御部３０７の自動制御が行われなくなる。
【００７７】
したがって、テレビ３に表示されるビデオプレーヤ５からの映像は、反射板Ｒ１の位置（設置角度など）が、通信装置２から通信装置１へ無線を反射し易い位置に近づくにつれて、より良好なものとなる。また、反射板Ｒ１の位置が、通信装置２から通信装置１へ無線を反射し易い位置から離れるにつれて、より乱れた映像となる。また、通信装置１が出力する電子音は、反射板Ｒ１の位置が、通信装置２から通信装置１へ無線を反射し易い位置に近づくにつれてより小音量になり、離れるにつれてより大音量になる。
【００７８】
ユーザは、テレビ３に表示されるビデオプレーヤ５からの映像の乱れ具合や、通信装置１からの電子音を確認しながら反射板Ｒ１の設置位置を調整することで、無線を反射板Ｒ１に反射させた場合に伝送状態が良好となる位置に、反射板Ｒ１を設置することができる。
【００７９】
設置位置の調整が終了した後は、ユーザがリモートコントローラ４を操作することで、通信装置１、２の設定を設置位置を調整する前の状態に戻す。
【００８０】
具体的には、通信装置１の電子音の出力設定を、無線の受信状態に応じた電子音を出力しない設定にする。また、無線の伝送状態に応じた指向性制御や、映像データの解像度を落とすなど、通信装置２のＷｉｒｅｌｅｓｓＨＤ制御部３０７における自動制御を行うように通常に戻す設定を行う。
【００８１】
図１０は、ネットワークシステム１００の動作の一例を示すシーケンス図である。より具体的には、通信装置１、２が無線接続を確立する処理と、各機器がＨＤＭＩ  ＣＥＣのアドレス解決を行うアドレス解決処理と、ユーザがリモートコントローラ４でビデオプレーヤ５を操作した時の処理とを示す図である。
【００８２】
図１０に示すように、Ｓ１では、通信装置１と通信装置２が、ＷｉｒｅｌｅｓｓＨＤの無線接続を確立する。このＳ１以降、ネットワークシステム１００では、通信装置１と通信装置２との間の通信が可能な状態となる。
【００８３】
Ｓ２では、通信装置１がＨＤＭＩ  ＣＥＣのアドレス解決処理を実行し、ＨＤＭＩ  ＣＥＣの論理アドレスを取得する。Ｓ３では、通信装置２がＨＤＭＩ  ＣＥＣのアドレス解決処理を実行し、ＨＤＭＩ  ＣＥＣの論理アドレスを取得する。Ｓ４では、ビデオプレーヤ５がＨＤＭＩ  ＣＥＣのアドレス解決処理を実行し、ＨＤＭＩ  ＣＥＣの論理アドレスを取得する。
【００８４】
上述したＳ１〜Ｓ４の処理によって、通信装置１と通信装置２との間の無線接続が確立し、ネットワークシステム１００の各機器にはＨＤＭＩ  ＣＥＣの論理アドレスが割り当てられるので、以後、各機器間でＣＥＣの通信を行うことが可能となる。
【００８５】
Ｓ５〜Ｓ８は、無線接続及びＨＤＭＩ  ＣＥＣのアドレス解決が完了した後に、ユーザがビデオプレーヤ５を操作した時の処理を示している。
【００８６】
Ｓ５では、ユーザによるリモートコントローラ４の操作（例えば入力切換ボタン４２０と数字ボタン４１０の「３」を操作）により、操作対象の機器をビデオプレーヤ５に切り換えるため、テレビ３が＜Ｓｅｔ  Ｓｔｒｅａｍ  Ｐａｔｈ＞メッセージをブロードキャストする。
【００８７】
Ｓ６では、テレビ３がブロードキャストした＜Ｓｅｔ  Ｓｔｒｅａｍ  Ｐａｔｈ＞メッセージに対する応答として、ビデオプレーヤ５が＜Ａｃｔｉｖｅ  Ｓｏｕｒｃｅ＞メッセージをブロードキャストする。
【００８８】
Ｓ７では、ユーザによるリモートコントローラ４の操作（例えばソース機器操作ボタン４３０の「再生」を操作）により、ビデオプレーヤ５に記憶された映像コンテンツを再生するため、テレビ３が＜Ｕｓｅｒ  Ｃｏｎｔｒｏｌ  Ｐｒｅｓｓｅｄ＞メッセージと＜Ｕｓｅｒ  Ｃｏｎｔｒｏｌ  Ｒｅｌｅａｓｅｄ＞メッセージを、ビデオプレーヤ５へ送信する。ビデオプレーヤ５は、これらのメッセージによってソース機器操作ボタン４３０の「再生」が操作されたことを認識し、映像コンテンツの再生を開始する。
【００８９】
Ｓ８では、ユーザによるリモートコントローラ４の操作（例えばソース機器操作ボタン４３０の「停止」を操作）により、映像コンテンツの再生を停止するため、テレビ３が＜Ｕｓｅｒ  Ｃｏｎｔｒｏｌ  Ｐｒｅｓｓｅｄ＞メッセージと＜Ｕｓｅｒ  Ｃｏｎｔｒｏｌ  Ｒｅｌｅａｓｅｄ＞メッセージを、ビデオプレーヤ５へ送信する。ビデオプレーヤ５は、これらのメッセージによってソース機器操作ボタン４３０の「停止」が操作されたことを認識し、映像コンテンツの再生を停止する。
【００９０】
図１１は、通信装置１を操作した際の処理の一例を示すシーケンス図である。なお、リモートコントローラ４による通信装置１の操作内容の詳細については後述する。
【００９１】
図１１に示すように、Ｓ１０１では、ユーザによるリモートコントローラ４の操作（例えば入力切換ボタン４２０と数字ボタン４１０の「１」を操作）により、操作対象の機器を通信装置１に切り換えるため、テレビ３が＜Ｓｅｔ  Ｓｔｒｅａｍ  Ｐａｔｈ＞メッセージをブロードキャストする。
【００９２】
Ｓ１０２では、テレビ３がブロードキャストした＜Ｓｅｔ  Ｓｔｒｅａｍ  Ｐａｔｈ＞メッセージに対する応答として、通信装置１が＜Ａｃｔｉｖｅ  Ｓｏｕｒｃｅ＞メッセージをブロードキャストする。
【００９３】
Ｓ１０３では、ユーザによるリモートコントローラ４の操作（例えば色ボタン４２６の「緑」を操作）により、電子音の出力設定を無線の受信状態に応じた電子音を出力するように設定するため、テレビ３が＜Ｕｓｅｒ  Ｃｏｎｔｒｏｌ  Ｐｒｅｓｓｅｄ＞メッセージと＜Ｕｓｅｒ  Ｃｏｎｔｒｏｌ  Ｒｅｌｅａｓｅｄ＞メッセージを、通信装置１へ送信する。通信装置１は、これらのメッセージによって色ボタン４２６の「緑」が操作されたことを認識し、電子音の出力設定を無線の受信状態に応じた電子音を出力するように設定する。
【００９４】
Ｓ１０４〜Ｓ１０６では、ユーザによるリモートコントローラ４の操作（例えば上ボタン４２１、数字ボタン４１０の「０」、「０」の操作）により、受信する無線の指向方向（垂直方向）を固定するように設定するため、テレビ３が＜Ｕｓｅｒ  Ｃｏｎｔｒｏｌ  Ｐｒｅｓｓｅｄ＞メッセージと＜Ｕｓｅｒ  Ｃｏｎｔｒｏｌ  Ｒｅｌｅａｓｅｄ＞メッセージを、通信装置１へ送信する。通信装置１は、これらのメッセージによって上ボタン４２１（Ｓ１０４）、数字ボタン４１０の「０」（Ｓ１０５）、「０」（Ｓ１０６）が操作されたことを認識し、受信する無線の指向方向を垂直方向０度に固定する。
【００９５】
Ｓ１０７〜Ｓ１０９では、ユーザによるリモートコントローラ４の操作（例えば右ボタン４２４、数字ボタン４１０の「０」、「０」の操作）により、受信する無線の指向方向（水平方向）を固定するように設定するため、テレビ３が＜Ｕｓｅｒ  Ｃｏｎｔｒｏｌ  Ｐｒｅｓｓｅｄ＞メッセージと＜Ｕｓｅｒ  Ｃｏｎｔｒｏｌ  Ｒｅｌｅａｓｅｄ＞メッセージを、通信装置１へ送信する。通信装置１は、これらのメッセージによって右ボタン４２４（Ｓ１０７）、数字ボタン４１０の「０」（Ｓ１０８）、「０」（Ｓ１０９）が操作されたことを認識し、受信する無線の指向方向を水平方向０度に固定する。
【００９６】
図１２は、通信装置２を操作した際の処理の一例を示すシーケンス図である。なお、リモートコントローラ４による通信装置２の操作内容の詳細については後述する。
【００９７】
図１２に示すように、Ｓ２０１では、ユーザによるリモートコントローラ４の操作（例えば入力切換ボタン４２０と数字ボタン４１０の「２」を操作）により、操作対象の機器を通信装置２に切り換えるため、テレビ３が＜Ｓｅｔ  Ｓｔｒｅａｍ  Ｐａｔｈ＞メッセージをブロードキャストする。
【００９８】
Ｓ２０２では、テレビ３がブロードキャストした＜Ｓｅｔ  Ｓｔｒｅａｍ  Ｐａｔｈ＞メッセージに対する応答として、通信装置２が＜Ａｃｔｉｖｅ  Ｓｏｕｒｃｅ＞メッセージをブロードキャストする。
【００９９】
Ｓ２０３では、ユーザによるリモートコントローラ４の操作（例えば色ボタン４２６の「青」を操作）により、送信する映像の解像度を固定するように設定するため、テレビ３が＜Ｕｓｅｒ  Ｃｏｎｔｒｏｌ  Ｐｒｅｓｓｅｄ＞メッセージと＜Ｕｓｅｒ  Ｃｏｎｔｒｏｌ  Ｒｅｌｅａｓｅｄ＞メッセージを、通信装置２へ送信する。通信装置２は、これらのメッセージによって色ボタン４２６の「青」が操作されたことを認識し、送信する映像の解像度を固定するように設定する。具体的には、ＷｉｒｅｌｅｓｓＨＤ制御部３０７が解像度を落とす前の、最大値に解像度を固定するように設定する。
【０１００】
Ｓ２０４〜Ｓ２０６では、ユーザによるリモートコントローラ４の操作（例えば下ボタン４２２、数字ボタン４１０の「１」、「５」の操作）により、送信する無線の指向方向（垂直方向）を固定するように設定するため、テレビ３が＜Ｕｓｅｒ  Ｃｏｎｔｒｏｌ  Ｐｒｅｓｓｅｄ＞メッセージと＜Ｕｓｅｒ  Ｃｏｎｔｒｏｌ  Ｒｅｌｅａｓｅｄ＞メッセージを、通信装置２へ送信する。通信装置２は、これらのメッセージによって下ボタン４２２（Ｓ２０４）、数字ボタン４１０の「１」（Ｓ２０５）、「５」（Ｓ２０６）が操作されたことを認識し、送信する無線の指向方向を垂直方向１５度に固定する。
【０１０１】
Ｓ２０７〜Ｓ２０９では、ユーザによるリモートコントローラ４の操作（例えば左ボタン４２３、数字ボタン４１０の「３」、「０」の操作）により、送信する無線の指向方向（水平方向）を固定するように設定するため、テレビ３が＜Ｕｓｅｒ  Ｃｏｎｔｒｏｌ  Ｐｒｅｓｓｅｄ＞メッセージと＜Ｕｓｅｒ  Ｃｏｎｔｒｏｌ  Ｒｅｌｅａｓｅｄ＞メッセージを、通信装置２へ送信する。通信装置２は、これらのメッセージによって左ボタン４２３（Ｓ２０７）、数字ボタン４１０の「３」（Ｓ２０８）、「０」（Ｓ２０９）が操作されたことを認識し、受信する無線の指向方向を水平方向３０度に固定する。
【０１０２】
次に、リモートコントローラ４による通信装置１、２の操作方法について説明する。図１３は、リモートコントローラ４による通信装置１、２の操作内容を例示する図である。
【０１０３】
図１３に示すように、上ボタン４２１又は下ボタン４２２と、数字ボタン４１０による２桁分の数字入力は、通信装置１、２が送受信する無線の指向方向を、垂直方向の任意の角度（設計上の範囲として上下ともに０〜６０度以内）に設定する。
【０１０４】
左ボタン４２３又は右ボタン４２４と、数字ボタン４１０による２桁分の数字入力は、通信装置１、２が送受信する無線の指向方向を、水平方向の任意の角度（設計上の範囲として左右ともに０〜６０度以内）に設定する。
【０１０５】
上ボタン４２１又は下ボタン４２２と、数字ボタン４１０の「９」の操作は、通信装置１、２が送受信する無線の垂直方向における指向性制御を、自動制御に戻す。左ボタン４２３又は右ボタン４２４と、数字ボタン４１０の「９」の操作は、通信装置１、２が送受信する無線の水平方向における指向性制御を、自動制御に戻す。
【０１０６】
色ボタン４２６の「青」の操作は、通信装置２が送信する映像の解像度を最大解像度に固定する。色ボタン４２６の「赤」の操作は、通信装置２が送信する映像の解像度を自動制御に戻す。色ボタン４２６の「緑」の操作は、通信装置１の電子音の出力設定を、無線の受信状態に応じた電子音を出力するように設定する。色ボタン４２６の「黄」の操作は、通信装置１の電子音の出力設定を、無線の受信状態に応じた電子音を出力しないように設定する。
【０１０７】
以上のように、ネットワークシステム１００において、通信装置１又は通信装置２の設置位置の調整を開始する操作指示をリモートコントローラ４から受け付けた場合に、通信装置１又は通信装置２の少なくとも一方は、無線の指向方向を予め設定された方向に固定し、通信装置１は、無線の伝送状態の通知を開始する。例えば、通信装置１は、リモートコントローラ４によって自装置又は通信装置２の設置位置の調整を開始する操作指示を受け付けた場合には、アンテナ部３０６における無線の指向方向を予め設定された方向に固定し、スピーカ部３１０により無線の伝送状態の通知を開始している。また、通信装置２は、リモートコントローラ４によって自装置又は通信装置１の設置位置の調整を開始する操作指示を受け付けた場合には、アンテナ部３０６における無線の指向方向を予め設定された方向に固定している。
【０１０８】
したがって、例えば図６〜図９のように、ユーザは、テレビ３に表示されるビデオプレーヤ５からの映像の乱れ具合や、通信装置１からの電子音を確認しながら通信装置１、２や反射板Ｒ１の設置位置を調整することで、無線の伝送状態がより良好となる設置位置へ通信装置１、２や反射板Ｒ１を設置することが可能となる。
【０１０９】
なお、本実施形態では、通信装置１のスピーカ部３１０から無線の受信状態に応じた電子音を出力する構成を例示した。しかしながら、無線の受信状態に応じた音声出力は、通信装置１のスピーカ部３１０に限定しない。例えば、通信装置１がテレビ３に出力する音声データに、無線の受信状態に応じた電子音のデータを混合することで、テレビ３のスピーカから電子音を出力してもよい。
【０１１０】
また、設置位置を調整する際に、通信装置２が通信装置１に送信する映像データは、通信装置２に接続されたビデオプレーヤ５に記憶されたものだけでなく、通信装置２の不揮発性メモリ３０４などに予め記憶されたものであってよい。また、通信装置１又は通信装置２の設置位置の調整を開始する操作指示を受け付けた場合に、固定する指向方向は、リモートコントローラ４による操作をもとに設定する方法以外に、不揮発性メモリ３０４などに予め設定された情報をもとに設定してもよい。例えば、不揮発性メモリ３０４には、アンテナ部３０６における無線の伝送時の利得が最大となる正面方向などが予め設定されていてよい。
【０１１１】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【符号の説明】
【０１１２】
１００  ネットワークシステム
１、２  通信装置
３  テレビ
４  リモートコントローラ
５  ビデオプレーヤ
３０１  ＣＰＵ
３０６  アンテナ部
３０７  ＷｉｒｅｌｅｓｓＨＤ制御部
３０８  ＨＤＭＩ制御部
３０９  ＨＤＭＩポート
３１０  スピーカ部
Ａ１  ＷｉｒｅｌｅｓｓＨＤ無線伝送
Ａ２  リモート制御信号
Ｃ１、Ｃ２  ＨＤＭＩ接続ケーブル
Ｄ１、Ｄ２  指向方向
Ｇ１  表示画面
Ｒ１  反射板
【図１】
2011130369.tif 000003
【図２】
2011130369.tif 000004
【図３】
2011130369.tif 000005
【図４】
2011130369.tif 000006
【図５】
2011130369.tif 000007
【図６】
2011130369.tif 000008
【図７】
2011130369.tif 000009
【図８】
2011130369.tif 000010
【図９】
2011130369.tif 000011
【図１０】
2011130369.tif 000012
【図１１】
2011130369.tif 000013
【図１２】
2011130369.tif 000014
【図１３】
2011130369.tif 000015
【手続補正書】
【提出日】平成22年11月5日(2010.11.5)
【手続補正１】
【補正対象書類名】特許請求の範囲
【補正対象項目名】全文
【補正方法】変更
【補正の内容】
【特許請求の範囲】
【請求項１】
映像を含むデータを第２の通信装置へ無線通信により伝送するとともに、当該第２の通信装置との間の無線通信の伝送状態を良好とするように指向性を調整する無線通信手段と、
ユーザからの操作指示を受け付ける受付手段と、
を備え、
前記無線通信手段は、自装置又は前記第２の通信装置の設置位置の調整を開始する操作指示を受け付けた場合に、前記指向性を予め設定された方向に固定することを特徴とする通信装置。
【請求項２】
前記伝送状態の悪化に応じて前記映像の解像度を低減させるように前記第２の通信装置への伝送を制御する制御手段を更に備え、
前記制御手段は、自装置又は前記第２の通信装置の設置位置の調整を開始する操作指示を受け付けた場合に、前記解像度を予め設定された解像度に固定することを特徴とする請求項１に記載の通信装置。
【請求項３】
前記無線通信手段は、伝送時の利得が実質的に最大となる方向へ前記指向性を固定することを特徴とする請求項１又は２に記載の通信装置。
【請求項４】
前記無線通信手段は、自装置又は前記第２の通信装置の設置位置の調整を開始する操作指示にともなって、角度を示す操作指示を受け付けた場合に、当該受け付けた角度に前記指向性を固定することを特徴とする請求項１〜３のいずれか一項に記載の通信装置。
【請求項５】
前記無線通信手段は、前記第２の通信装置との間の無線通信を、ＷｉｒｅｌｅｓｓＨＤ規格に従って行うことを特徴とする請求項１〜４のいずれか一項に記載の通信装置。
【請求項６】
第２の通信装置から無線通信により伝送される、映像を含むデータを受信するとともに、当該第２の通信装置との間の無線通信の伝送状態を良好とするように指向性を調整する無線通信手段と、
ユーザからの操作指示を受け付ける受付手段と、
前記伝送状態をユーザに通知する通知手段と、
を備え、
自装置又は前記第２の通信装置の設置位置の調整を開始する操作指示を受け付けた場合に、前記無線通信手段は前記指向性を予め設定された方向に固定し、前記通知手段は前記通知を開始することを特徴とする通信装置。
【請求項７】
前記通知手段は、前記伝送状態に対応した音声通知で通知することを特徴とする請求項６に記載の通信装置。
【請求項８】
前記無線通信手段は、伝送時の利得が実質的に最大となる方向へ前記指向性を固定することを特徴とする請求項６又は７に記載の通信装置。
【請求項９】
前記無線通信手段は、自装置又は前記第２の通信装置の設置位置の調整を開始する操作指示にともなって、角度を示す操作指示を受け付けた場合に、当該受け付けた角度に前記指向性を固定することを特徴とする請求項６〜８のいずれか一項に記載の通信装置。
【請求項１０】
前記無線通信手段は、前記第２の通信装置との間の無線通信を、ＷｉｒｅｌｅｓｓＨＤ規格に従って行うことを特徴とする請求項６〜９のいずれか一項に記載の通信装置。
【請求項１１】
映像を含むデータを第２の通信装置へ無線通信により伝送するとともに、当該第２の通信装置との間の無線通信の伝送状態を良好とするように指向性を調整する送信手段を備える第１の通信装置と、
前記第１の通信装置から無線通信により伝送される、映像を含むデータを受信するとともに、当該第１の通信装置との間の無線通信の伝送状態を良好とするように指向性を調整する受信手段、前記伝送状態をユーザに通知する通知手段を備える前記第２の通信装置と、
ユーザからの操作指示を受け付ける受付手段と、
を有するシステムの制御方法であって、
前記第１の通信装置又は前記第２の通信装置の設置位置の調整を開始する操作指示を前記受付手段が受け付けた場合に、
前記第１の通信装置又は前記第２の通信装置の少なくとも一方の、前記指向性を予め設定された方向に固定するステップと、
前記通知手段が前記通知を開始するステップと、
を含むことを特徴とする制御方法。
【手続補正２】
【補正対象書類名】明細書
【補正対象項目名】０００７
【補正方法】変更
【補正の内容】
【０００７】
上述した課題を解決し、目的を達成するために、本発明の通信装置は、映像を含むデータを第２の通信装置へ無線通信により伝送するとともに、当該第２の通信装置との間の無線通信の伝送状態を良好とするように指向性を調整する無線通信手段と、ユーザからの操作指示を受け付ける受付手段と、を備え、前記無線通信手段は、自装置又は前記第２の通信装置の設置位置の調整を開始する操作指示を受け付けた場合に、前記指向性を予め設定された方向に固定することを特徴とする。
【手続補正３】
【補正対象書類名】明細書
【補正対象項目名】０００８
【補正方法】変更
【補正の内容】
【０００８】
また、本発明の通信装置は、第２の通信装置から無線通信により伝送される、映像を含むデータを受信するとともに、当該第２の通信装置との間の無線通信の伝送状態を良好とするように指向性を調整する無線通信手段と、ユーザからの操作指示を受け付ける受付手段と、前記伝送状態をユーザに通知する通知手段と、を備え、自装置又は前記第２の通信装置の設置位置の調整を開始する操作指示を受け付けた場合に、前記無線通信手段は前記指向性を予め設定された方向に固定し、前記通知手段は前記通知を開始することを特徴とする。
【手続補正４】
【補正対象書類名】明細書
【補正対象項目名】０００９
【補正方法】変更
【補正の内容】
【０００９】
また、本発明は、映像を含むデータを第２の通信装置へ無線通信により伝送するとともに、当該第２の通信装置との間の無線通信の伝送状態を良好とするように指向性を調整する送信手段を備える第１の通信装置と、前記第１の通信装置から無線通信により伝送される、映像を含むデータを受信するとともに、当該第１の通信装置との間の無線通信の伝送状態を良好とするように指向性を調整する受信手段、前記伝送状態をユーザに通知する通知手段を備える前記第２の通信装置と、ユーザからの操作指示を受け付ける受付手段と、を有するシステムの制御方法であって、前記第１の通信装置又は前記第２の通信装置の設置位置の調整を開始する操作指示を前記受付手段が受け付けた場合に、前記第１の通信装置又は前記第２の通信装置の少なくとも一方の、前記指向性を予め設定された方向に固定するステップと、前記通知手段が前記通知を開始するステップと、を含むことを特徴とする。
【手続補正書】
【提出日】平成23年3月24日(2011.3.24)
【手続補正１】
【補正対象書類名】特許請求の範囲
【補正対象項目名】全文
【補正方法】変更
【補正の内容】
【特許請求の範囲】
【請求項１】
映像を含むデータを第２の通信装置へ無線通信により伝送する無線通信手段と、
ユーザからの操作指示を受け付ける受付手段と、
前記無線通信の伝送状態の悪化に応じて前記映像の解像度を低減させるように前記第２の通信装置への伝送を制御する制御手段を備え、
前記制御手段は、所定の操作指示を受け付けた場合に、前記解像度を予め設定された解像度に固定することを特徴とする通信装置。
【請求項２】
前記所定の操作指示は、自装置又は前記第２の通信装置の設置位置の調整を開始する操作指示であることを特徴とする請求項１に記載の通信装置。
【請求項３】
前記無線通信手段は、前記第２の通信装置との間の無線通信の伝送状態を良好とするように指向性を調整するとともに、自装置又は前記第２の通信装置の設置位置の調整を開始する操作指示を受け付けた場合に、前記指向性を予め設定された方向に固定することを特徴とする請求項１又は２に記載の通信装置。
【請求項４】
前記無線通信手段は、伝送時の利得が実質的に最大となる方向へ前記指向性を固定することを特徴とする請求項３に記載の通信装置。
【請求項５】
前記無線通信手段は、自装置又は前記第２の通信装置の設置位置の調整を開始する操作指示にともなって、角度を示す操作指示を受け付けた場合に、当該受け付けた角度に前記指向性を固定することを特徴とする請求項３又は４に記載の通信装置。
【請求項６】
前記無線通信手段は、前記第２の通信装置との間の無線通信を、ＷｉｒｅｌｅｓｓＨＤ規格に従って行うことを特徴とする請求項１〜５のいずれか一項に記載の通信装置。
【請求項７】
映像を含むデータを第２の通信装置へ無線通信により伝送する送信手段、前記無線通信の伝送状態の悪化に応じて前記映像の解像度を低減させるように前記第２の通信装置への伝送を制御する制御手段を備える第１の通信装置と、
前記第１の通信装置から無線通信により伝送される、映像を含むデータを受信する受信手段、前記伝送状態をユーザに通知する通知手段を備える前記第２の通信装置と、
ユーザからの操作指示を受け付ける受付手段と、
を有するシステムの制御方法であって、
所定の操作指示を前記受付手段が受け付けた場合に、
前記制御手段が前記解像度を予め設定された解像度に固定するステップと、
前記通知手段が前記通知を開始するステップと、
を含むことを特徴とする制御方法。
【手続補正２】
【補正対象書類名】明細書
【補正対象項目名】０００７
【補正方法】変更
【補正の内容】
【０００７】
上述した課題を解決し、目的を達成するために、本発明の通信装置は、映像を含むデータを第２の通信装置へ無線通信により伝送する無線通信手段と、ユーザからの操作指示を受け付ける受付手段と、前記無線通信の伝送状態の悪化に応じて前記映像の解像度を低減させるように前記第２の通信装置への伝送を制御する制御手段を更に備え、前記制御手段は、所定の操作指示を受け付けた場合に、前記解像度を予め設定された解像度に固定することを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
また、本発明は、映像を含むデータを第２の通信装置へ無線通信により伝送する送信手段、前記無線通信の伝送状態の悪化に応じて前記映像の解像度を低減させるように前記第２の通信装置への伝送を制御する制御手段を備える第１の通信装置と、前記第１の通信装置から無線通信により伝送される、映像を含むデータを受信する受信手段、前記伝送状態をユーザに通知する通知手段を備える前記第２の通信装置と、ユーザからの操作指示を受け付ける受付手段と、を有するシステムの制御方法であって、所定の操作指示を前記受付手段が受け付けた場合に、前記制御手段が前記解像度を予め設定された解像度に固定するステップと、前記通知手段が前記通知を開始するステップと、を含むことを特徴とする。